【手続補正書】
【提出日】令和2年10月9日(2020.10.9)
【手続補正１】
【補正対象書類名】明細書
【補正対象項目名】０１０８
【補正方法】変更
【補正の内容】
【０１０８】
上述の明細書、実施例及びデータによって、本発明の実施形態の構成物の製造及び使用の完全な説明を提供するものである。本明細書では、特定の実施形態を例示して説明したが、当業者は、示した特定の実施形態が、同じ目的を達成するように計画された任意の構成に置き換えられ得ることを理解するであろう。本出願は、本発明のあらゆる適合形態又は変形形態を包含することを意図している。それゆえ、本発明は、特許請求の範囲及びその等価物によってのみ限定されることが、明白に意図される。以下、例示的実施形態について述べる。
［１］
使用者と支持構造体とを相互接続するための細長い部材と、
前記細長い部材の移動に応じて電力を生成するエネルギーハーベスタと、
前記生成された電力によって給電される回路とを備える落下防止装置。
［２］
前記細長い部材は、ランヤードであり、前記エネルギーハーベスタは、コイル状ロープを有するコイル状ロープ式発電機を備え、前記コイル状ロープ式発電機は、前記細長い部材の移動に応じて前記コイル状ロープが解けるのに応じて回転される、［１］に記載の装置。
［３］
前記細長い部材は、ランヤードであり、前記エネルギーハーベスタは、リコイルスプリングと、前記細長い部材の移動に応じて前記リコイルスプリングによって回転される発電機とを備える、［１］に記載の装置。
［４］
前記エネルギーハーベスタは、前記リコイルスプリングを巻回状態に維持し、前記使用者の落下に応じて前記リコイルスプリングの貯蔵されたエネルギーを解放する離脱ラッチを備える、［３］に記載の装置。
［５］
前記エネルギーハーベスタは、前記生成された電力を貯蔵するために、コンデンサ、超コンデンサ、バッテリ、及び充電式セルからなる群から選択されるエネルギー貯蔵装置を備える、［１］に記載の装置。
［６］
前記エネルギーハーベスタは、前記エネルギー貯蔵装置に結合され、前記回路に調整された電力を供給する電圧調整器を備える、［５］に記載の装置。
［７］
前記回路は、前記使用者の落下に応じてメッセージを送信するための無線送信機を備える、［１］に記載の装置。
［８］
前記無線送信機はＢｌｕｅｔｏｏｔｈ送信機を含む、［７］に記載の装置。
［９］
前記無線送信機は、前記使用者の落下に応じて前記メッセージを携帯電話又はコントロールセンターに送信するためのものである、［７］に記載の装置。
［１０］
前記細長い部材は、前記使用者の落下に応じて少なくとも部分的に離れる第１の部分及び第２の部分を有するエネルギー吸収ランヤードであり、前記細長い部材の移動は、前記第１の部分と前記第２の部分とが離れることである、［１］に記載の装置。
［１１］
前記細長い部材は、回転可能部材の周囲に少なくとも部分的に巻回される命綱であり、前記細長い部材の移動は、前記回転可能部材に対する前記命綱の引張り及び引込みのうちの少なくとも一方である、［１］に記載の装置。
［１２］
前記命綱及び前記回転可能部材は、自己引込式命綱の一部であり、
前記エネルギーハーベスタは、前記自己引込式命綱と一体化されており、及び歯車列を有するモータを備え、前記モータは、電力を生成するための発電機と、前記命綱の引張り及び引込みをデジタル化するためのエンコーダとの両方を実現する、［１１］に記載の装置。
［１３］
前記命綱及び前記回転可能部材は、自己引込式命綱の一部であり、
前記自己引込式命綱は、渦電流ブレーキアセンブリを含み、
前記エネルギーハーベスタは、前記渦電流ブレーキアセンブリと一体化され、
前記渦電流の一部分は、電力を生成するように変換される、［１１］に記載の装置。
［１４］
前記命綱及び前記回転可能部材は、自己引込式命綱の一部であり、
前記自己引込式命綱は、機械的引込式命綱ランヤードを含み、
前記エネルギーハーベスタは、一方向クラッチを有するフライホイール回転子を備え、前記フライホイール回転子は、前記命綱の引張りに応じた運動エネルギーを貯蔵し、前記フライホイール回転子が回転しているときに電力を生成する、［１１］に記載の装置。
［１５］
前記命綱及び前記回転可能部材は、自己引込式命綱の一部であり、
前記エネルギーハーベスタは、遊星歯車、少なくとも１つの回転子、及び少なくとも１つの固定子を備え、
前記少なくとも１つの回転子が、前記命綱の引張り及び引込みに応じて前記回転可能部材よりも速い速度で前記固定子とは反対方向に回転して電力を生成するように、前記遊星歯車、前記少なくとも１つの回転子、及び前記少なくとも１つの固定子は前記自己引込式命綱と一体化されている、［１１］に記載の装置。
［１６］
前記命綱及び前記回転可能部材は、自己引込式命綱の一部であり、
前記装置は、前記回転可能部材に付勢力を加える螺旋コイルばねと、
前記螺旋コイルばねに接続された発電機とを更に備え、
前記螺旋コイルばねの運動は、電気を生成する、［１１］に記載の装置。
［１７］
落下防止装置であって、
前記落下防止装置の位置エネルギーが運動エネルギーに変換されることに応じて電力を生成する発電機と、
前記生成された電力を貯蔵するためのエネルギー貯蔵コンデンサと、
前記エネルギー貯蔵コンデンサによって給電されるコントローラであって、前記落下防止装置の使用による動作に応じたメッセージを生成するコントローラと、
前記エネルギー貯蔵コンデンサによって給電される無線送信機であって、前記メッセージを送信する無線送信機とを備える、落下防止装置。
［１８］
前記生成された電力の電圧を整流するための電圧整流器と、
前記エネルギー貯蔵コンデンサからの電圧を調整して前記コントローラ及び前記無線送信機に給電する電圧調整器とを更に備える、［１７］に記載の装置。
［１９］
前記エネルギー貯蔵コンデンサによって給電され、作業者の落下を検出するセンサを更に備える、［１７］に記載の装置。
［２０］
前記無線送信機は、Ｂｌｕｅｔｏｏｔｈ送信機を含む、［１７］に記載の装置。
［２１］
前記無線送信機は、前記作業者の落下に応じて前記メッセージを携帯電話又はコントロールセンターに送信するためのものである、［１７］に記載の装置。
［２２］
使用者と支持構造体とを相互接続するための細長い部材と、
前記細長い部材に接続された衝撃インジケータと、
前記細長い部材及び前記衝撃インジケータのうちの少なくとも一方に接続されており、衝撃に応じてメッセージを生成するコントローラと、
前記コントローラに接続され、前記メッセージを送信する送信機とを備える落下防止装置。
［２３］
前記細長い部材は、ランヤード及び自己引込式命綱からなる群から選択される部材である、［２２］に記載の装置。
［２４］
前記衝撃インジケータは、電気接点と共に使用されると共に前記細長い部材に加えられた所定の張力に対応する付勢部材である、［２２］に記載の装置。
［２５］
前記細長い部材の第１の部分及び第２の部分を更に備え、
前記衝撃インジケータは、前記第１の部分と前記第２の部分との間の相対運動を感知するためのセンサである、［２２］に記載の装置。
［２６］
前記第１の部分は、前記第１の部分の周囲に前記細長い部材が少なくとも部分的に巻回される回転可能部材であり、第２の部分は、爪である、［２５］に記載の装置。
［２７］
前記第１の部分及び前記第２の部分は、接続されており、衝撃を受けたときに部分的に離れる、［２５］に記載の装置。
［２８］
前記衝撃インジケータは、前記細長い部材に加えられた張力を測定するために前記細長い部材に沿って配置された力変換器である、［２２］に記載の装置。
［２９］
前記衝撃インジケータは、光インジケータ、可聴インジケータ、及び触覚フィードバックインジケータからなる群から選択される少なくとも１つの警告インジケータを含む、［２２］に記載の装置。
［３０］
前記衝撃インジケータは、衝撃の大きさを感知する、［２２］に記載の装置。
［３１］
前記細長い部材に接続されたセンサを更に備え、前記衝撃インジケータ及び前記センサは、前記衝撃に関する情報を提供する、［２２］に記載の装置。
［３２］
使用者と支持構造体とを相互接続するための細長い部材と、
前記細長い部材に接続されたセンサと、
前記センサに接続されており、前記細長い部材の移動に応じてメッセージを生成するコントローラとを備える落下防止装置。
［３３］
前記センサは回転センサであり、前記細長い部材の延出長さ及び前記細長い部材の引込み長さのうちの少なくとも一方に変換される回転角度及び回転数のうちの少なくとも一方を記録する、［３２］に記載の装置。
［３４］
前記センサは、前記落下防止装置の回転から電力を生成するためのモータである回転センサであり、前記モータは、前記回転からエネルギーを得る効率を改善させるように及びエンコーダとしての前記センサの精度を向上させるように歯車及び歯車列のうちの一方と一体化されている、［３２］に記載の装置。
［３５］
前記センサは、前記細長い部材が完全に引込まれたときに作動するスイッチである、［３２］に記載の装置。
［３６］
前記センサは、前記細長い部材の長さが延びるときに作動するスイッチである、［３２］に記載の装置。
［３７］
前記センサは、周囲条件、可聴条件、及び大気質条件に関する情報を提供する環境モニタである、［３２］に記載の装置。
［３８］
前記センサは、使用パターン情報を提供する、［３２］に記載の装置。
［３９］
前記センサは、時間、回転角度、回転数、速度、及び加速度のうちの少なくとも１つを記録して、使用パターン情報の提供を促進する、［３８］に記載の装置。
［４０］
前記センサは、時間に対する回転角度及び回転数のうちの少なくとも一方を記録し、それによって、前記細長い部材の変化率を計算することで速度の決定が可能になり、前記速度の変化率を計算することで加速度の決定が可能になり、前記使用パターン情報の決定を促進する、［３９］に記載の装置。
［４１］
前記使用パターン情報は、危険な条件、危険な作業領域、落下、タイオフ結び１００％、使用者の作業条件、使用者の作業強度、無謀な使用、及び装置の使用量の検出を促進する、［３９］に記載の装置。
［４２］
前記細長い部材に接続された衝撃インジケータを更に備え、前記衝撃インジケータ及び前記センサは、衝撃に関する情報を提供する、［３２］に記載の装置。
［４３］
前記メッセージは、前記コントローラによって記憶される、［３２］に記載の装置。
［４４］
前記メッセージを送信するように前記コントローラに接続されている送信機を更に備える、［３２］に記載の装置。
【手続補正２】
【補正対象書類名】特許請求の範囲
【補正対象項目名】全文
【補正方法】変更
【補正の内容】
【特許請求の範囲】
【請求項１】
使用者と支持構造体とを相互接続するための細長い部材と、
前記細長い部材の移動に応じて電力を生成するエネルギーハーベスタと、
前記生成された電力によって給電される回路とを備える落下防止装置。
【請求項２】
前記細長い部材は、回転可能部材の周囲に少なくとも部分的に巻回される命綱であり、前記細長い部材の移動は、前記回転可能部材に対する前記命綱の引張り及び引込みのうちの少なくとも一方である、請求項１に記載の装置。
【請求項３】
前記命綱及び前記回転可能部材は、自己引込式命綱の一部であり、
前記自己引込式命綱は、渦電流ブレーキアセンブリを含み、
前記エネルギーハーベスタは、前記渦電流ブレーキアセンブリと一体化され、
前記渦電流の一部分は、電力を生成するように変換される、請求項２に記載の装置。
【請求項４】
落下防止装置であって、
前記落下防止装置の位置エネルギーが運動エネルギーに変換されることに応じて電力を生成する発電機と、
前記生成された電力を貯蔵するためのエネルギー貯蔵コンデンサと、
前記エネルギー貯蔵コンデンサによって給電されるコントローラであって、前記落下防止装置の使用による動作に応じたメッセージを生成するコントローラと、
前記エネルギー貯蔵コンデンサによって給電される無線送信機であって、前記メッセージを送信する無線送信機とを備える、落下防止装置。
【請求項５】
使用者と支持構造体とを相互接続するための細長い部材と、
前記細長い部材に接続された衝撃インジケータと、
前記細長い部材及び前記衝撃インジケータのうちの少なくとも一方に接続されており、衝撃に応じてメッセージを生成するコントローラと、
前記コントローラに接続され、前記メッセージを送信する送信機とを備える落下防止装置。
【請求項６】
使用者と支持構造体とを相互接続するための細長い部材と、
前記細長い部材に接続されたセンサと、
前記センサに接続されており、前記細長い部材の移動に応じてメッセージを生成するコントローラとを備える落下防止装置。